(57)【要約】      （修正有）【課題】原稿を確実に処理することができる画像読取装置を提供すること。【解決手段】画像読取装置は、原稿台と、被写体を撮像する画像読取部と、前記原稿台の所定位置に原稿が載置されたか否かを検出する検出部と、検出信号に応じて、前記原稿台に載置される前記原稿が前記被写体として撮像されるように前記画像読取部を制御し、前記原稿台に載置される前記原稿を表す動画像データを情報処理装置に出力する動画像出力制御部と、前記検出信号に応じて、前記所定位置に載置された前記原稿が前記被写体として撮像されるように前記画像読取部を制御し、前記所定位置に載置された前記原稿を表す静止画像データを前記情報処理装置に出力する静止画像出力制御部とを具備している。【選択図】図３
2006033234.tif 000002
【特許請求の範囲】
【請求項１】
原稿台と、
被写体を撮像する画像読取部と、
前記原稿台の所定位置に原稿が載置されたか否かを検出する検出部と、
前記所定位置に前記原稿が載置されていないことを前記検出部により検出されたときに、第１検出信号を出力し、前記所定位置に前記原稿が載置されたことを前記検出部により検出されたときに、第２検出信号を出力する読取切替部と、
前記第１検出信号に応じて、前記原稿台に載置される前記原稿が前記被写体として撮像されるように前記画像読取部を制御し、前記原稿台に載置される前記原稿を表す動画像データを情報処理装置に出力する動画像出力制御部と、
前記第２検出信号に応じて、前記所定位置に載置された前記原稿が前記被写体として撮像されるように前記画像読取部を制御し、前記所定位置に載置された前記原稿を表す静止画像データを前記情報処理装置に出力する静止画像出力制御部と
を具備する画像読取装置。
【請求項２】
請求項１に記載の画像読取装置において、
前記検出部は、前記所定位置に載置された前記原稿を検出して原稿載置検出信号を出力するセンサ部を含み、
前記読取切替部は、前記センサ部から前記原稿載置検出信号を受け取っていないときに前記第１検出信号を出力し、前記センサ部から前記原稿載置検出信号を受け取ったときに前記第２検出信号を出力する
画像読取装置。
【請求項３】
請求項１に記載の画像読取装置において、
前記原稿には、ＩＤタグが貼付され、
前記検出部は、前記所定位置に前記原稿が載置されたときに、前記ＩＤタグと通信可能なＩＤリーダーを含み、
前記ＩＤリーダーは、前記ＩＤタグと通信したときに原稿載置検出信号を出力し、
前記読取切替部は、前記ＩＤリーダーから前記原稿載置検出信号を受け取っていないときに前記第１検出信号を出力し、前記ＩＤリーダーから前記原稿載置検出信号を受け取ったときに前記第２検出信号を出力する
画像読取装置。
【請求項４】
請求項３に記載の画像読取装置において、
更に、
画像読取パラメータ制御部を具備し、
前記ＩＤタグには、前記原稿を撮像するために予め指定されたパラメータを含む画像読取情報が記録され、
前記ＩＤリーダーは、前記ＩＤタグと通信したときに前記原稿載置検出信号を出力すると共に、前記ＩＤタグに記録された前記画像読取情報を読み出し、
前記画像読取パラメータ制御部は、前記ＩＤタグから読み出された前記画像読取情報に応じて、前記所定位置に載置された前記原稿が前記パラメータにより撮像されるように前記画像読取部を制御し、
前記画像読取部は、前記画像読取パラメータ制御部が行う制御と前記静止画像出力制御部が行う制御とに基づいて、前記所定位置に載置された前記原稿を撮像する
画像読取装置。
【請求項５】
請求項３に記載の画像読取装置において、
更に、
前記静止画像出力制御部から出力された前記静止画像データを受け取る原稿真偽判定部を具備し、
前記原稿には、前記原稿を識別するための原稿識別子が記載され、
前記ＩＤタグには、前記原稿識別子が記録され、
前記ＩＤリーダーは、前記ＩＤタグと通信したときに前記原稿載置検出信号を出力すると共に、前記ＩＤタグに記録された前記原稿識別子を読み出し、
前記原稿真偽判定部は、前記静止画像データに映された前記原稿識別子と、前記ＩＤタグから読み出された前記原稿識別子との比較結果を前記情報処理装置に出力する
画像読取装置。
【請求項６】
請求項３に記載の画像読取装置において、
更に、
画像読取パラメータ制御部と、
前記静止画像出力制御部から出力された前記静止画像データを受け取る原稿真偽判定部とを具備し、
前記原稿には、前記原稿を識別するための原稿識別子が記載され、
前記ＩＤタグには、前記原稿を撮像するために予め指定されたパラメータを含む画像読取情報と、前記原稿識別子とが記録され、
前記ＩＤリーダーは、前記前記ＩＤタグと通信したときに前記原稿載置検出信号を出力すると共に、前記ＩＤタグに記録された前記画像読取情報と前記原稿識別子とを読み出し、
前記画像読取パラメータ制御部は、前記ＩＤタグから読み出された前記画像読取情報に応じて、前記所定位置に載置された前記原稿が前記パラメータにより撮像されるように前記画像読取部を制御し、
前記画像読取部は、前記画像読取パラメータ制御部が行う制御と前記静止画像出力制御部が行う制御とに基づいて、前記所定位置に載置された前記原稿を撮像し、
前記原稿真偽判定部は、前記静止画像データに映された前記原稿識別子と、前記ＩＤタグから読み出された前記原稿識別子との比較結果を前記情報処理装置に出力する
画像読取装置。
【請求項７】
請求項１〜６のいずれかに記載の画像読取装置において、
更に、
前記原稿台の上方に前記画像読取部を一定の高さに保つためのスタンド部を具備し、
前記原稿が前記所定位置に載置されたとき、前記原稿の両面のうちの片面が前記画像読取部に向けられる
画像読取装置。
【請求項８】
請求項１〜７のいずれかに記載の画像読取装置において、
前記検出部は、前記原稿台に設けられている
画像読取装置。
【請求項９】
画像読取部が被写体を撮像する画像読取ステップと、
原稿台の所定位置に原稿が載置されたか否かを検出する検出ステップと、
前記所定位置に前記原稿が載置されていないことを検出したときに、前記原稿台に載置される前記原稿が前記被写体として撮像されるように前記画像読取ステップを実行し、前記原稿台に載置される前記原稿を表す動画像データを情報処理装置に出力する動画像出力制御ステップと、
前記所定位置に前記原稿が載置されたことを検出したときに、前記所定位置に載置された前記原稿が前記被写体として撮像されるように前記画像読取ステップを実行し、前記所定位置に載置された前記原稿を表す静止画像データを前記情報処理装置に出力する静止画像出力制御ステップと
を具備する画像読取方法。
【請求項１０】
請求項９に記載の画像読取方法において、
前記原稿には、ＩＤタグが貼付され、
前記ＩＤタグには、前記原稿を撮像するために予め指定されたパラメータを含む画像読取情報が記録され、
前記検出ステップは、
前記ＩＤタグに記録された前記画像読取情報を読み出すステップを含み、
前記静止画像出力制御ステップは、
前記ＩＤタグから読み出された前記画像読取情報に応じて、前記所定位置に載置された前記原稿を前記パラメータにより読み取るように前記画像読取ステップを実行するステップ
を含む画像読取方法。
【請求項１１】
請求項９に記載の画像読取方法において、
前記原稿には、前記原稿を識別するための原稿識別子が記載され、ＩＤタグが貼付され、
前記ＩＤタグには、前記原稿識別子が記録され、
前記検出ステップは、
前記ＩＤタグに記録された前記原稿識別子を読み出すステップを含み、
前記静止画像出力制御ステップは、
前記静止画像データに映された前記原稿識別子と、前記ＩＤタグから読み出された前記原稿識別子との比較結果を前記情報処理装置に出力するステップ
を含む画像読取方法。
【請求項１２】
請求項９に記載の画像読取方法において、
前記原稿には、前記原稿を識別するための原稿識別子が記載され、ＩＤタグが貼付され、
前記ＩＤタグには、前記原稿を撮像するために予め指定されたパラメータを含む画像読取情報と、前記原稿識別子とが記録され、
前記検出ステップは、
前記ＩＤタグに記録された前記画像読取情報と前記原稿識別子とを読み出すステップを含み、
前記静止画像出力制御ステップは、
前記ＩＤタグから読み出された前記画像読取情報に応じて、前記所定位置に載置された前記原稿が前記パラメータにより撮像されるように前記画像読取ステップを実行するステップと、
前記静止画像データに映された前記原稿識別子と、前記ＩＤタグから読み出された前記原稿識別子との比較結果を前記情報処理装置に出力するステップと
を含む画像読取方法。
【請求項１３】
原稿台と、被写体を撮像する画像読取部と、前記原稿台の所定位置に原稿が載置されたか否かを検出する検出部と、コンピュータとを具備する画像読取装置に適用され、前記コンピュータが読み取り可能なコンピュータプログラムである画像読取用プログラムであって、
前記所定位置に前記原稿が載置されていないことを前記検出部により検出されたときに、第１検出信号を出力し、前記所定位置に前記原稿が載置されたことを前記検出部により検出されたときに、第２検出信号を出力する読取切替ステップと、
前記第１検出信号に応じて、前記原稿台に載置される前記原稿が前記被写体として撮像されるように前記画像読取部を制御し、前記原稿台に載置される前記原稿を表す動画像データを情報処理装置に出力する動画像出力制御ステップと、
前記第２検出信号に応じて、前記所定位置に載置された前記原稿が前記被写体として撮像されるように前記画像読取部を制御し、前記所定位置に載置された前記原稿を表す静止画像データを前記情報処理装置に出力する静止画像出力制御ステップと
の各ステップを前記コンピュータに実行させる画像読取用プログラム。
【請求項１４】
請求項１３に記載の画像読取用プログラムにおいて、
前記検出部は、前記所定位置に載置された前記原稿を検出して原稿載置検出信号を出力するセンサ部を含み、
前記読取切替ステップは、前記センサ部から前記原稿載置検出信号を受け取っていないときに前記第１検出信号を出力し、前記センサ部から前記原稿載置検出信号を受け取ったときに前記第２検出信号を出力するステップ
を含む画像読取用プログラム。
【請求項１５】
請求項１３に記載の画像読取用プログラムにおいて、
前記原稿には、ＩＤタグが貼付され、
前記検出部は、前記所定位置に前記原稿が載置されたときに、前記ＩＤタグと通信可能なＩＤリーダーを含み、
前記ＩＤリーダーは、前記ＩＤタグと通信したときに原稿載置検出信号を出力し、
前記読取切替ステップは、前記ＩＤリーダーから前記原稿載置検出信号を受け取っていないときに前記第１検出信号を出力し、前記ＩＤリーダーから前記原稿載置検出信号を受け取ったときに前記第２検出信号を出力するステップ
を含む画像読取用プログラム。
【請求項１６】
請求項１５に記載の画像読取用プログラムにおいて、
前記原稿には、ＩＤタグが貼付され、
前記ＩＤタグには、前記原稿を撮像するために予め指定されたパラメータを含む画像読取情報が記録され、
前記ＩＤリーダーは、前記ＩＤタグと通信したときに前記原稿載置検出信号を出力すると共に、前記ＩＤタグに記録された前記画像読取情報を読み出し、
前記静止画像出力制御ステップは、
前記ＩＤタグから読み出された前記画像読取情報に応じて、前記所定位置に載置された前記原稿を前記パラメータにより読み取るように前記画像読取部を制御するステップ
を含む画像読取用プログラム。
【請求項１７】
請求項１５に記載の画像読取用プログラムにおいて、
前記原稿には、前記原稿を識別するための原稿識別子が記載され、ＩＤタグが貼付され、
前記ＩＤタグには、前記原稿識別子が記録され、
前記ＩＤリーダーは、前記ＩＤタグと通信したときに前記原稿載置検出信号を出力すると共に、前記ＩＤタグに記録された前記原稿識別子を読み出し、
前記静止画像出力制御ステップは、
前記静止画像データに映された前記原稿識別子と、前記ＩＤタグから読み出された前記原稿識別子との比較結果を前記情報処理装置に出力するステップ
を含む画像読取用プログラム。
【請求項１８】
請求項１５に記載の画像読取用プログラムにおいて、
前記原稿には、前記原稿を識別するための原稿識別子が記載され、ＩＤタグが貼付され、
前記ＩＤタグには、前記原稿を撮像するために予め指定されたパラメータを含む画像読取情報と、前記原稿識別子とが記録され、
前記ＩＤリーダーは、前記ＩＤタグと通信したときに前記原稿載置検出信号を出力すると共に、前記ＩＤタグに記録された前記画像読取情報と前記原稿識別子とを読み出し、
前記静止画像出力制御ステップは、
前記ＩＤタグから読み出された前記画像読取情報に応じて、前記所定位置に載置された前記原稿が前記パラメータにより撮像されるように前記画像読取部を制御するステップと、
前記静止画像データに映された前記原稿識別子と、前記ＩＤタグから読み出された前記原稿識別子との比較結果を前記情報処理装置に出力するステップと
を含む画像読取用プログラム。
【発明の詳細な説明】
【技術分野】
【０００１】
本発明は、画像読取装置に関し、特に、被写体の画像を撮像する画像読取装置に関する。
【背景技術】
【０００２】
被写体として原稿の画像を撮像するスタンド型画像読取装置が知られている。そのスタンド型画像読取り装置は、作業台に配置された原稿の静止画像を撮像する画像読取部と、その画像読取部を作業台から離れた高さに固定するスタンド部とを備えている。このような画像読取装置は、例えば、金融機関（例示；銀行）で使用され、金融機関の窓口に設けられている。上記の原稿としては、客により所持される帳票が例示され、帳票には、客の氏名、預金や出金に伴う金銭が記載される。
【０００３】
客は、原稿（帳票）を持参して窓口に訪れ、オペレータは、客に対して、原稿（帳票）による預金や出金についての応対を行なう。同時に、オペレータは、客に対して預金や出金に伴う金銭の授受を行ない、金銭の授受を証明するために印鑑の押印を原稿（帳票）に行なう。オペレータは、客とのやりとりの後、原稿（帳票）に記載された客の氏名、預金や出金に伴う金銭を記録するために、原稿（帳票）を原稿台に載置する。このとき、画像読取部は、原稿台に載置された原稿（帳票）を撮像し、静止画像データを情報処理装置に出力する。オペレータは、原稿（帳票）を原稿台に載置したとき、原稿（帳票）に対する処理が完了する。このような画像読取装置では、オペレータが処理を完了したつもりでも、原稿（帳票）に記載された金銭に対して受け渡しの金銭に誤りがある場合、オペレータが原稿（帳票）、金銭の渡し忘れをしている場合、オペレータが金銭の受け取り確認をしていない場合がある。
【０００４】
画像に関する従来技術を紹介する。
【０００５】
特開平９−１８１９５１号公報には、動画像出力と高画質静止画像出力とを自動的に切り替える映像入力装置が開示されている。この映像入力装置は、画像を入力する画像入力手段と、上記画像入力手段から入力された画像の変化の有無を検出する検出手段と、上記検出手段が画尾図の変化なしを検出したとき上記画像入力手段から入力された画像から高解像度静止画像を作成する高解像度静止画像作成手段とを備えている。
【０００６】
特開平９−２００７２２号公報には、高画質かつ簡単な操作で静止画を撮影できる画像入力装置が開示されている。この画像入力装置は、撮像手段と該撮像手段から送信される映像信号を圧縮する処理手段とを備えた画像入力装置において、前記撮像手段は、動画から静止画に撮影を切り替えるスイッチ手段と、該スイッチ手段のオンオフ状態を前記処理装置に通知する通知手段とを備え、前記処理手段は、前記動画に適した圧縮を行う第１圧縮手段と、前記静止画に適した圧縮を行う第２圧縮手段と、前記通知されるオンオフ状態に基づいて、前記第１圧縮手段または前記第２圧縮手段を選択する選択手段とを備えたことを特徴としている。
【０００７】
特開２００２−１９９１８９号公報には、高精細度の画像読み取りにおいて、読取り処理時間を低減できる画像読取装置が開示されている。この画像読取装置は、ＣＣＤエリアセンサを用いて帳票の画像を読み取るものであり、該ＣＣＤエリアセンサの持つ画素数から得られる第１の精細度と、前記ＣＣＤエリアセンサを指定可能な所定回数画素ずらししてえられる複数フレームの画像から生成される第２の精細度で画像を読み取る撮像部と、該撮像部で読み取った画像を記憶する画像メモリと、前記撮像部で読み取った画像を処理する画像処理部とを備え、前記撮像部は、前記第１の精細度で画像を読み取り、該読み取った画像が所定の判定条件を満たした場合には、前記第１の精細度から前記第２の精細度に画像精細度を切替え画像を読み取ることを特徴としている。
【０００８】
特開２００３−１３２３０６号公報には、使用するマイクロ波の波長に比較して十分に小さいＩＣチップを用いる場合であっても、ＩＣタグの識別データを短時間で読み取れるようにするＩＣタグ読取装置が開示されている。このＩＣタグ読取装置は、サイズが規定された読取対象物のチップ埋込み領域に埋め込まれ、予め識別コードを記憶したＩＣチップ及び入力回路からなるＩＣタグと、予め定めた規定位置に前記読取対象物を保持する対象物保持部と、前記読取対象物のチップ埋込み領域に対向する位置で移動可能に設けられ、前記ＩＣタグの入力回路に結合する質問器の結合回路と、前記結合回路が前記ＩＣタグの入力回路に結合したときに前記ＩＣチップに記憶されている識別コードを読取る質問器と、前記対象物保持部にセットされた読取対象物のチップ埋込み領域をサーチし、該チップ埋込み領域に埋め込まれているＩＣタグの位置を検出するタグ位置検出部と、前記タグ位置検出部により検出された位置情報に基づいて前記質問器の結合回路を前記ＩＣタグと対向するように位置調整すると共に、前記ＩＣタグに近付けて該ＩＣタグの入力回路と結合させる位置調整部とを具備したことを特徴としている。
【０００９】
特開２００４−１２７２７７号公報には、書類に関する電子文書情報を判別する方法が開示されている。この方法は、書類に関する情報を格納する方法であり、第１書類の電子表現を取得するステップと、前記第１書類の前記電子表現に基づいて、第１特徴記述子を判別するステップと、前記第１特徴記述子に合致する特徴記述子を第１データベースから判別するステップであって、前記第１データベースは、複数の特徴記述子を識別する情報、及び複数の特徴記述子における各特徴記述子に関する電子文書情報を格納し、特徴記述子に関する前記電子文書情報は、電子文書を識別する情報より成るところのステップと、前記第１データベースから、合致する特徴記述子に関連付けられる電子文書情報を判別するステップと、及び、合致する特徴記述子に関連付けられる電子文書情報が、識別コードに関連付けられるように、識別タグに関連付けられる識別コード、及び合致する特徴記述子に関連付けられる電子文書情報を第２データベースに格納するステップ、より成ることを特徴としている。
【００１０】
特開平１１−３１３１９３号公報には、柔軟性および利用効率の高いスタンド型のイメージスキャナ装置が開示されている。このイメージスキャナ装置は、所定の画像を結像する結像手段、該結像手段により結像された前記画像を電気信号に変換し検出する画像読取り手段、および前記所定の画像を照明する照明手段とを有し一体的に構成された画像読取りユニットと、該画像読取りユニットを可動状態に保持するスタンド手段とを有し、前記画像読取りユニットは、使用時に前記所定の画像に対向する所定の高さに保持され、且つ、不使用時に移動し空間の拡大が可能に構成されたことを特徴としている。
【００１１】
特開２００３−１６２６９３号公報には、容易に商品等の取引をすることが可能であって、販促効果の測定及び向上を図ることが可能な表示・入力装置が開示されている。この表示・入力装置は、動画及び／又は静止画の情報を表示面に表示する表示手段と、前記表示面に対向して設けられ、非接触で外部のＩＣタグと通信を行なうアンテナ部を含み、前記ＩＣタグが記憶しているタグ情報を入力する入力手段とを備え、前記表示手段は、前記ＩＣタグと通信を行う前記アンテナ部の位置を示す入力位置情報を表示し、この入力位置情報の表示された領域に前記ＩＣタグが近付けられた場合に、前記入力手段が前記タグ情報を入力可能となること、を特徴としている。
【００１２】
【特許文献１】特開平９−１８１９５１号公報
【特許文献２】特開平９−２００７２２号公報
【特許文献３】特開２００２−１９９１８９号公報
【特許文献４】特開２００３−１３２３０６号公報
【特許文献５】特開２００４−１２７２７７号公報
【特許文献６】特開平１１−３１３１９３号公報
【特許文献７】特開２００３−１６２６９３号公報
【発明の開示】
【発明が解決しようとする課題】
【００１３】
本発明の課題は、原稿を確実に処理することができる画像読取装置を提供することにある。
本発明の他の課題は、原稿に合わせた画像の読み取りを行うことができる画像読取装置を提供することにある。
本発明の更に他の課題は、偽造された原稿を検知することができる画像読取装置を提供することにある。
【課題を解決するための手段】
【００１４】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１５】
本発明の画像読取装置（１、２０）（４１、５０）（４１、６０）（４１、７０）は、原稿台（６）と、被写体を撮像する画像読取部（１１）と、前記原稿台（６）の所定位置（９）に原稿（７）が載置されたか否かを検出する検出部（１０）（４２）と、前記所定位置（９）に前記原稿（７）が載置されていないことを前記検出部（１０）（４２）により検出されたときに、第１検出信号（１０１）を出力し、前記所定位置（９）に前記原稿（７）が載置されたことを前記検出部（１０）（４２）により検出されたときに、第２検出信号（１０２）を出力する読取切替部（２３）（５３）（６３）（７３）と、前記第１検出信号（１０１）に応じて、前記原稿台（６）に載置される前記原稿（７）が前記被写体として撮像されるように前記画像読取部（１１）を制御し、前記原稿台（６）に載置される前記原稿（７）を表す動画像データ（１０５）を情報処理装置（３０）に出力する動画像出力制御部（２１）と、前記第２検出信号（１０２）に応じて、前記所定位置（９）に載置された前記原稿（７）が前記被写体として撮像されるように前記画像読取部（１１）を制御し、前記所定位置（９）に載置された前記原稿（７）を表す静止画像データ（１０６）を前記情報処理装置（３０）に出力する静止画像出力制御部（２２）とを具備している。
【００１６】
例えば、本発明の画像読取装置は、金融機関（例示；銀行）で使用され、原稿台（６）と画像読取部（１１）と検出部（１０）（４２）は、金融機関の窓口に設けられる。また、上記の原稿（７）を帳票とし、原稿（７）（帳票）には、原稿識別子（例示；特定の番号、特定の文字、その番号・文字の形状）が記載されていて、客の氏名、預金や出金に伴う金銭が記載される。この場合、原稿台（６）の所定位置（９）に原稿（７）（帳票）が載置されるまで、動画像出力制御部（２１）は、オペレータと客とのやりとり（預金や出金に伴う金銭の授受、印鑑の押印）を動画像データ（１０５）として情報処理装置（３０）に出力し、所定位置（９）に原稿（７）（帳票）が載置されたとき、静止画像出力制御部（２２）は、原稿内容（原稿識別子、客の氏名、金銭、押印）を静止画像データ（１０６）として情報処理装置（３０）に出力する。画像データ｛動画像データ（１０５）、静止画像データ（１０６）｝が情報処理装置（３０）の表示装置（３３）に表示された場合、オペレータを管理する管理者は、原稿（７）（帳票）に記載された金銭に対して受け渡しの金銭に誤りがあるか、オペレータが原稿（７）（帳票）、金銭の渡し忘れをしていないか、オペレータが金銭の受け取り確認をしているかを、動画像データ（１０５）と静止画像データ（１０６）とによって確認することができる。画像データ｛動画像データ（１０５）、静止画像データ（１０６）｝が情報処理装置（３０）の記憶装置（３４）に記録された場合でも、管理者は、オペレータによる原稿（７）（帳票）、金銭の誤りがあるか、オペレータが原稿（７）（帳票）、金銭の渡し忘れをしていないか、オペレータが金銭の受け取り確認をしているかを、動画像データ（１０５）と静止画像データ（１０６）とによって後から確認することができる。これにより、本発明の画像読取装置によれば、オペレータが原稿（７）（帳票）を確実に処理することができる。
【００１７】
本発明の画像読取装置（１、２０）において、前記検出部は、前記所定位置（９）に載置された前記原稿（７）を検出して原稿載置検出信号（１１０）を出力するセンサ部（１０）を含んでいる。前記読取切替部（２３）は、前記センサ部（１０）から前記原稿載置検出信号（１１０）を受け取っていないときに前記第１検出信号（１０１）を出力し、前記センサ部（１０）から前記原稿載置検出信号（１１０）を受け取ったときに前記第２検出信号（１０２）を出力する。
【００１８】
本発明の画像読取装置（４１、５０）（４１、６０）（４１、７０）において、前記原稿（７）には、ＩＤタグ（４３）が貼付されている。前記検出部は、前記所定位置（９）に前記原稿（７）が載置されたときに、前記ＩＤタグ（４３）と通信可能なＩＤリーダー（４２）を含んでいる。前記ＩＤリーダー（４２）は、前記ＩＤタグ（４３）と通信したときに原稿載置検出信号（１２０）を出力する。前記読取切替部（５３）（６３）（７３）は、前記ＩＤリーダー（４２）から前記原稿載置検出信号（１２０）を受け取っていないときに前記第１検出信号（１０１）を出力し、前記ＩＤリーダー（４２）から前記原稿載置検出信号（１２０）を受け取ったときに前記第２検出信号（１０２）を出力する。
【００１９】
本発明の画像読取装置（４１、６０）は、更に、画像読取パラメータ制御部（６４）を具備している。前記ＩＤタグ（４３）には、前記原稿（７）を撮像するために予め指定されたパラメータを含む画像読取情報（１３１）が記録されている。前記ＩＤリーダー（４２）は、前記ＩＤタグ（４３）と通信したときに前記原稿載置検出信号（１２０）を出力すると共に、前記ＩＤタグ（４３）に記録された前記画像読取情報（１３１）を読み出す。前記画像読取パラメータ制御部（６４）は、前記ＩＤタグ（４３）から読み出された前記画像読取情報（１３１）に応じて、前記所定位置（９）に載置された前記原稿（７）が前記パラメータにより撮像されるように前記画像読取部（１１）を制御する。前記画像読取部（１１）は、前記画像読取パラメータ制御部（６４）が行う制御と前記静止画像出力制御部（２２）が行う制御とに基づいて、前記所定位置（９）に載置された前記原稿（７）を撮像する。
【００２０】
本発明の画像読取装置によれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。
【００２１】
本発明の画像読取装置（４１、７０）は、更に、前記静止画像出力制御部（２２）から出力された前記静止画像データ（１０６）を受け取る原稿真偽判定部（７５）を具備している。前記原稿（７）には、前記原稿（７）を識別するための原稿識別子が記載されている。前記ＩＤタグ（４３）には、前記原稿識別子（１４１）が記録されている。前記ＩＤリーダー（４２）は、前記ＩＤタグ（４３）と通信したときに前記原稿載置検出信号（１２０）を出力すると共に、前記ＩＤタグ（４３）に記録された前記原稿識別子（１４１）を読み出す。前記原稿真偽判定部（７５）は、前記静止画像データ（１０６）に映された前記原稿識別子と、前記ＩＤタグ（４３）から読み出された前記原稿識別子（１４１）との比較結果（１４２）を前記情報処理装置（３０）に出力する。
【００２２】
本発明の画像読取装置によれば、静止画像データ（１０６）と比較結果（１４２）とが情報処理装置（３０）の表示装置（３３）に表示される。このとき、上記の比較結果（１４２）が、原稿７（帳票）に記載された原稿識別子と、ＩＤタグ（４３）に記録された原稿識別子（１４１）との一致を表すとき、原稿（７）（帳票）が偽造されていない。上記の比較結果（１４２）が、原稿（７）（帳票）に記載された原稿識別子と、ＩＤタグ（４３）に記録された原稿識別子（１４１）との一致を表さないとき、原稿（７）（帳票）が偽造されている。原稿（７）（帳票）が偽造されている場合、オペレータを管理する管理者は、大惨事になる前に、オペレータと客とのやりとりを中止させることができる。また、静止画像データ（１０６）と比較結果（１４２）とが情報処理装置（３０）の記憶装置（３４）に記録された場合でも、原稿（７）（帳票）が偽造されていることを証明することができる。このように、本発明の画像読取装置によれば、原稿（７）（帳票）に記載された原稿識別子をＩＤタグ（４３）に原稿識別子（１４１）として記録しておくことにより、上記の効果｛オペレータが原稿（７）（帳票）を確実に処理することができること｝に加えて、偽造された原稿（帳票）を検知することができる。
【００２３】
本発明の画像読取装置（４１、７０）は、更に、画像読取パラメータ制御部（６４）と、前記静止画像出力制御部（２２）から出力された前記静止画像データ（１０６）を受け取る原稿真偽判定部（７５）とを具備している。前記原稿（７）には、前記原稿（７）を識別するための原稿識別子が記載されている。前記ＩＤタグ（４３）には、前記原稿（７）を撮像するために予め指定されたパラメータを含む画像読取情報（１３１）と、前記原稿識別子（１４１）とが記録されている。前記ＩＤリーダー（４２）は、前記前記ＩＤタグ（４３）と通信したときに前記原稿載置検出信号（１２０）を出力すると共に、前記ＩＤタグ（４３）に記録された前記画像読取情報（１３１）と前記原稿識別子（１４１）とを読み出す。前記画像読取パラメータ制御部（６４）は、前記ＩＤタグ（４３）から読み出された前記画像読取情報（１３１）に応じて、前記所定位置（９）に載置された前記原稿（７）が前記パラメータにより撮像されるように前記画像読取部（１１）を制御する。前記画像読取部（１１）は、前記画像読取パラメータ制御部（６４）が行う制御と前記静止画像出力制御部（２２）が行う制御とに基づいて、前記所定位置（９）に載置された前記原稿（７）を撮像する。前記原稿真偽判定部（７５）は、前記静止画像データ（１０６）に映された前記原稿識別子と、前記ＩＤタグ（４３）から読み出された前記原稿識別子（１４１）との比較結果（１４２）を前記情報処理装置（３０）に出力する。
【００２４】
本発明の画像読取装置によれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。また、本発明の画像読取装置によれば、原稿（７）（帳票）に記載された原稿識別子をＩＤタグ（４３）に原稿識別子（１４１）として記録しておくことにより、上記の効果に加えて、偽造された原稿（帳票）を検知することができる。
【００２５】
本発明の画像読取装置（１、２０）（４１、５０）（４１、６０）（４１、７０）は、更に、前記原稿台（６）の上方に前記画像読取部（１１）を一定の高さに保つためのスタンド部（３）を具備し、前記原稿（７）が前記所定位置（９）に載置されたとき、前記原稿（７）の両面のうちの片面が前記画像読取部（１１）に向けられる。
【００２６】
本発明の画像読取装置（１、２０）（４１、５０）（４１、６０）（４１、７０）において、前記検出部（１０）（４２）は、前記原稿台（６）に設けられている。
【００２７】
本発明の画像読取方法は、画像読取部（１１）が被写体を撮像する画像読取ステップ（Ｓ２０）（Ｓ３０）（Ｓ４０）（Ｓ５０）と、原稿台（６）の所定位置（９）に原稿（７）が載置されたか否かを検出する検出ステップ（Ｓ１２、Ｓ１３）（Ｓ２２、Ｓ２３）（Ｓ３２、Ｓ３３）（Ｓ４２、Ｓ４３）と、前記所定位置（９）に前記原稿（７）が載置されていないことを検出したときに、前記原稿台（６）に載置される前記原稿（７）が前記被写体として撮像されるように前記画像読取ステップ（Ｓ２０）（Ｓ３０）（Ｓ４０）（Ｓ５０）を実行し、前記原稿台（６）に載置される前記原稿（７）を表す動画像データ（１０５）を情報処理装置（３０）に出力する動画像出力制御ステップ（Ｓ１６−ＮＯ、Ｓ１７）（Ｓ２６−ＮＯ、Ｓ２７）（Ｓ３６−ＮＯ、Ｓ３７）（Ｓ４６−ＮＯ、Ｓ４７）と、前記所定位置（９）に前記原稿（７）が載置されたことを検出したときに、前記所定位置（９）に載置された前記原稿（７）が前記被写体として撮像されるように前記画像読取ステップ（Ｓ２０）（Ｓ３０）（Ｓ４０）（Ｓ５０）を実行し、前記所定位置（９）に載置された前記原稿（７）を表す静止画像データ（１０６）を前記情報処理装置（３０）に出力する静止画像出力制御ステップ（Ｓ１６−ＹＥＳ、Ｓ１８）（Ｓ２６−ＹＥＳ、Ｓ２８）（Ｓ３６−ＹＥＳ、Ｓ３８）（Ｓ４６−ＹＥＳ、Ｓ４８）とを具備している。
【００２８】
例えば、本発明の画像読取方法は、金融機関（例示；銀行）で使用され、原稿台（６）と画像読取部（１１）は、金融機関の窓口に設けられる。また、上記の原稿（７）を帳票とし、原稿（７）（帳票）には、原稿識別子（例示；特定の番号、特定の文字、その番号・文字の形状）が記載されていて、客の氏名、預金や出金に伴う金銭が記載される。この場合、原稿台（６）の所定位置（９）に原稿（７）（帳票）が載置されるまで、動画像出力制御ステップ（Ｓ１６−ＮＯ、Ｓ１７）（Ｓ２６−ＮＯ、Ｓ２７）（Ｓ３６−ＮＯ、Ｓ３７）（Ｓ４６−ＮＯ、Ｓ４７）によって、オペレータと客とのやりとり（預金や出金に伴う金銭の授受、印鑑の押印）を動画像データ（１０５）として情報処理装置（３０）に出力し、所定位置（９）に原稿（７）（帳票）が載置されたとき、静止画像出力制御ステップ（Ｓ１６−ＹＥＳ、Ｓ１８）（Ｓ２６−ＹＥＳ、Ｓ２８）（Ｓ３６−ＹＥＳ、Ｓ３８）（Ｓ４６−ＹＥＳ、Ｓ４８）によって、原稿内容（原稿識別子、客の氏名、金銭、押印）を静止画像データ（１０６）として情報処理装置（３０）に出力する。画像データ｛動画像データ（１０５）、静止画像データ（１０６）｝が情報処理装置（３０）の表示装置（３３）に表示された場合、オペレータを管理する管理者は、原稿（７）（帳票）に記載された金銭に対して受け渡しの金銭に誤りがあるか、オペレータが原稿（７）（帳票）、金銭の渡し忘れをしていないか、オペレータが金銭の受け取り確認をしているかを、動画像データ（１０５）と静止画像データ（１０６）とによって確認することができる。画像データ｛動画像データ（１０５）、静止画像データ（１０６）｝が情報処理装置（３０）の記憶装置（３４）に記録された場合でも、管理者は、オペレータによる原稿（７）（帳票）、金銭の誤りがあるか、オペレータが原稿（７）（帳票）、金銭の渡し忘れをしていないか、オペレータが金銭の受け取り確認をしているかを、動画像データ（１０５）と静止画像データ（１０６）とによって後から確認することができる。これにより、本発明の画像読取方法によれば、オペレータが原稿（７）（帳票）を確実に処理することができる。
【００２９】
本発明の画像読取方法において、前記原稿（７）には、ＩＤタグ（４３）が貼付され、前記ＩＤタグ（４３）には、前記原稿（７）を撮像するために予め指定されたパラメータを含む画像読取情報（１３１）が記録されている。前記検出ステップ（Ｓ３２、Ｓ３３）は、前記ＩＤタグ（４３）に記録された前記画像読取情報（１３１）を読み出すステップを含んでいる。前記静止画像出力制御ステップ（Ｓ３６−ＹＥＳ、Ｓ３８）は、前記ＩＤタグ（４３）から読み出された前記画像読取情報（１３１）に応じて、前記所定位置（９）に載置された前記原稿（７）を前記パラメータにより読み取るように前記画像読取ステップ（Ｓ４０）を実行するステップを含んでいる。
【００３０】
本発明の画像読取方法によれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。
【００３１】
本発明の画像読取方法において、前記原稿（７）には、前記原稿（７）を識別するための原稿識別子が記載され、ＩＤタグ（４３）が貼付され、前記ＩＤタグ（４３）には、前記原稿識別子（１４１）が記録されている。前記検出ステップ（Ｓ４２、Ｓ４３）は、前記ＩＤタグ（４３）に記録された前記原稿識別子（１４１）を読み出すステップを含んでいる。前記静止画像出力制御ステップ（Ｓ４６−ＹＥＳ、Ｓ４８）は、前記静止画像データ（１０６）に映された前記原稿識別子と、前記ＩＤタグ（４３）から読み出された前記原稿識別子（１４１）との比較結果（１４２）を前記情報処理装置（３０）に出力するステップを含んでいる。
【００３２】
本発明の画像読取方法によれば、静止画像データ（１０６）と比較結果（１４２）とが情報処理装置（３０）の表示装置（３３）に表示される。このとき、上記の比較結果（１４２）が、原稿７（帳票）に記載された原稿識別子と、ＩＤタグ（４３）に記録された原稿識別子（１４１）との一致を表すとき、原稿（７）（帳票）が偽造されていない。上記の比較結果（１４２）が、原稿（７）（帳票）に記載された原稿識別子と、ＩＤタグ（４３）に記録された原稿識別子（１４１）との一致を表さないとき、原稿（７）（帳票）が偽造されている。原稿（７）（帳票）が偽造されている場合、オペレータを管理する管理者は、大惨事になる前に、オペレータと客とのやりとりを中止させることができる。また、静止画像データ（１０６）と比較結果（１４２）とが情報処理装置（３０）の記憶装置（３４）に記録された場合でも、原稿（７）（帳票）が偽造されていることを証明することができる。このように、本発明の画像読取方法によれば、原稿（７）（帳票）に記載された原稿識別子をＩＤタグ（４３）に原稿識別子（１４１）として記録しておくことにより、上記の効果｛オペレータが原稿（７）（帳票）を確実に処理することができること｝に加えて、偽造された原稿（帳票）を検知することができる。
【００３３】
本発明の画像読取方法において、前記原稿（７）には、前記原稿（７）を識別するための原稿識別子が記載され、ＩＤタグ（４３）が貼付され、前記ＩＤタグ（４３）には、前記原稿（７）を撮像するために予め指定されたパラメータを含む画像読取情報（１３１）と、前記原稿識別子（１４１）とが記録されている。前記検出ステップ（Ｓ４２、Ｓ４３）は、前記ＩＤタグ（４３）に記録された前記画像読取情報（１３１）と前記原稿識別子（１４１）とを読み出すステップを含んでいる。前記静止画像出力制御ステップ（Ｓ４６−ＹＥＳ、Ｓ４８）は、前記ＩＤタグ（４３）から読み出された前記画像読取情報（１３１）に応じて、前記所定位置（９）に載置された前記原稿（７）が前記パラメータにより撮像されるように前記画像読取ステップ（Ｓ５０）を実行するステップと、前記静止画像データ（１０６）に映された前記原稿識別子と、前記ＩＤタグ（４３）から読み出された前記原稿識別子（１４１）との比較結果（１４２）を前記情報処理装置（３０）に出力するステップとを含んでいる。
【００３４】
本発明の画像読取方法によれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。また、本発明の画像読取方法によれば、原稿（７）（帳票）に記載された原稿識別子をＩＤタグ（４３）に原稿識別子（１４１）として記録しておくことにより、上記の効果に加えて、偽造された原稿（帳票）を検知することができる。
【００３５】
本発明の画像読取用プログラムは、原稿台（６）と、被写体を撮像する画像読取部（１１）と、前記原稿台（６）の所定位置（９）に原稿（７）が載置されたか否かを検出する検出部（１０）（４２）と、コンピュータ（２０）（５０）（６０）（７０）とを具備する画像読取装置に適用され、前記コンピュータ（２０）（５０）（６０）（７０）が読み取り可能なコンピュータプログラムである。本発明の画像読取用プログラムは、前記所定位置（９）に前記原稿（７）が載置されていないことを前記検出部（１０）（４２）により検出されたときに、第１検出信号（１０１）を出力し、前記所定位置（９）に前記原稿（７）が載置されたことを前記検出部（１０）（４２）により検出されたときに、第２検出信号（１０２）を出力する読取切替ステップ（Ｓ１６）（Ｓ２６）（Ｓ３６）（Ｓ４６）と、前記第１検出信号（１０１）に応じて、前記原稿台（６）に載置される前記原稿（７）が前記被写体として撮像されるように前記画像読取部（１１）を制御し、前記原稿台（６）に載置される前記原稿（７）を表す動画像データ（１０５）を情報処理装置（３０）に出力する動画像出力制御ステップ（Ｓ１７）（Ｓ２７）（Ｓ３７）（Ｓ４７）と、前記第２検出信号（１０２）に応じて、前記所定位置（９）に載置された前記原稿（７）が前記被写体として撮像されるように前記画像読取部（１１）を制御し、前記所定位置（９）に載置された前記原稿（７）を表す静止画像データ（１０６）を前記情報処理装置（３０）に出力する静止画像出力制御ステップ（Ｓ１８）（Ｓ２８）（Ｓ３８）（Ｓ４８）との各ステップを前記コンピュータ（２０）（５０）（６０）（７０）に実行させる。
【００３６】
例えば、本発明の画像読取用プログラムが適用される画像読取装置は、金融機関（例示；銀行）で使用され、原稿台（６）と画像読取部（１１）と検出部（１０）（４２）は、金融機関の窓口に設けられる。また、上記の原稿（７）を帳票とし、原稿（７）（帳票）には、原稿識別子（例示；特定の番号、特定の文字、その番号・文字の形状）が記載されていて、客の氏名、預金や出金に伴う金銭が記載される。この場合、原稿台（６）の所定位置（９）に原稿（７）（帳票）が載置されるまで、動画像出力制御ステップ（Ｓ１７）（Ｓ２７）（Ｓ３７）（Ｓ４７）によって、オペレータと客とのやりとり（預金や出金に伴う金銭の授受、印鑑の押印）を動画像データ（１０５）として情報処理装置（３０）に出力し、所定位置（９）に原稿（７）（帳票）が載置されたとき、静止画像出力制御ステップ（Ｓ１８）（Ｓ２８）（Ｓ３８）（Ｓ４８）によって、原稿内容（原稿識別子、客の氏名、金銭、押印）を静止画像データ（１０６）として情報処理装置（３０）に出力する。画像データ｛動画像データ（１０５）、静止画像データ（１０６）｝が情報処理装置（３０）の表示装置（３３）に表示された場合、オペレータを管理する管理者は、原稿（７）（帳票）に記載された金銭に対して受け渡しの金銭に誤りがあるか、オペレータが原稿（７）（帳票）、金銭の渡し忘れをしていないか、オペレータが金銭の受け取り確認をしているかを、動画像データ（１０５）と静止画像データ（１０６）とによって確認することができる。画像データ｛動画像データ（１０５）、静止画像データ（１０６）｝が情報処理装置（３０）の記憶装置（３４）に記録された場合でも、管理者は、オペレータによる原稿（７）（帳票）、金銭の誤りがあるか、オペレータが原稿（７）（帳票）、金銭の渡し忘れをしていないか、オペレータが金銭の受け取り確認をしているかを、動画像データ（１０５）と静止画像データ（１０６）とによって後から確認することができる。これにより、本発明の画像読取用プログラムによれば、オペレータが原稿（７）（帳票）を確実に処理することができる。
【００３７】
本発明の画像読取用プログラムにおいて、前記検出部は、前記所定位置（９）に載置された前記原稿（７）を検出して原稿載置検出信号（１１０）を出力するセンサ部（１０）を含んでいる。前記読取切替ステップ（Ｓ１６）は、前記センサ部（１０）から前記原稿載置検出信号（１１０）を受け取っていないときに前記第１検出信号（１０１）を出力し、前記センサ部（１０）から前記原稿載置検出信号（１１０）を受け取ったときに前記第２検出信号（１０２）を出力するステップを含んでいる。
【００３８】
本発明の画像読取用プログラムにおいて、前記原稿（７）には、ＩＤタグ（４３）が貼付され、前記検出部は、前記所定位置（９）に前記原稿（７）が載置されたときに、前記ＩＤタグ（４３）と通信可能なＩＤリーダー（４２）を含み、前記ＩＤリーダー（４２）は、前記ＩＤタグ（４３）と通信したときに原稿載置検出信号（１２０）を出力する。前記読取切替ステップ（Ｓ２６）（Ｓ３６）（Ｓ４６）は、前記ＩＤリーダー（４２）から前記原稿載置検出信号（１２０）を受け取っていないときに前記第１検出信号（１０１）を出力し、前記ＩＤリーダー（４２）から前記原稿載置検出信号（１２０）を受け取ったときに前記第２検出信号（１０２）を出力するステップを含んでいる。
【００３９】
本発明の画像読取用プログラムにおいて、前記原稿（７）には、ＩＤタグ（４３）が貼付され、前記ＩＤタグ（４３）には、前記原稿（７）を撮像するために予め指定されたパラメータを含む画像読取情報（１３１）が記録され、前記ＩＤリーダー（４２）は、前記ＩＤタグ（４３）と通信したときに前記原稿載置検出信号（１２０）を出力すると共に、前記ＩＤタグ（４３）に記録された前記画像読取情報（１３１）を読み出す。前記静止画像出力制御ステップ（Ｓ３８）は、前記ＩＤタグ（４３）から読み出された前記画像読取情報（１３１）に応じて、前記所定位置（９）に載置された前記原稿（７）を前記パラメータにより読み取るように前記画像読取部（１１）を制御するステップを含んでいる。
【００４０】
本発明の画像読取用プログラムによれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。
【００４１】
本発明の画像読取用プログラムにおいて、前記原稿（７）には、前記原稿（７）を識別するための原稿識別子が記載され、ＩＤタグ（４３）が貼付され、前記ＩＤタグ（４３）には、前記原稿識別子（１４１）が記録され、前記ＩＤリーダー（４２）は、前記ＩＤタグ（４３）と通信したときに前記原稿載置検出信号（１２０）を出力すると共に、前記ＩＤタグ（４３）に記録された前記原稿識別子（１４１）を読み出す。前記静止画像出力制御ステップ（Ｓ４８）は、前記静止画像データ（１０６）に映された前記原稿識別子と、前記ＩＤタグ（４３）から読み出された前記原稿識別子（１４１）との比較結果（１４２）を前記情報処理装置（３０）に出力するステップを含んでいる。
【００４２】
本発明の画像読取用プログラムによれば、静止画像データ（１０６）と比較結果（１４２）とが情報処理装置（３０）の表示装置（３３）に表示される。このとき、上記の比較結果（１４２）が、原稿７（帳票）に記載された原稿識別子と、ＩＤタグ（４３）に記録された原稿識別子（１４１）との一致を表すとき、原稿（７）（帳票）が偽造されていない。上記の比較結果（１４２）が、原稿（７）（帳票）に記載された原稿識別子と、ＩＤタグ（４３）に記録された原稿識別子（１４１）との一致を表さないとき、原稿（７）（帳票）が偽造されている。原稿（７）（帳票）が偽造されている場合、オペレータを管理する管理者は、大惨事になる前に、オペレータと客とのやりとりを中止させることができる。また、静止画像データ（１０６）と比較結果（１４２）とが情報処理装置（３０）の記憶装置（３４）に記録された場合でも、原稿（７）（帳票）が偽造されていることを証明することができる。このように、本発明の画像読取用プログラムによれば、原稿（７）（帳票）に記載された原稿識別子をＩＤタグ（４３）に原稿識別子（１４１）として記録しておくことにより、上記の効果｛オペレータが原稿（７）（帳票）を確実に処理することができること｝に加えて、偽造された原稿（帳票）を検知することができる。
【００４３】
本発明の画像読取用プログラムにおいて、前記原稿（７）には、前記原稿（７）を識別するための原稿識別子が記載され、ＩＤタグ（４３）が貼付され、前記ＩＤタグ（４３）には、前記原稿（７）を撮像するために予め指定されたパラメータを含む画像読取情報（１３１）と、前記原稿識別子（１４１）とが記録され、前記ＩＤリーダー（４２）は、前記ＩＤタグ（４３）と通信したときに前記原稿載置検出信号（１２０）を出力すると共に、前記ＩＤタグ（４３）に記録された前記画像読取情報（１３１）と前記原稿識別子（１４１）とを読み出す。前記静止画像出力制御ステップ（Ｓ４８）は、前記ＩＤタグ（４３）から読み出された前記画像読取情報（１３１）に応じて、前記所定位置（９）に載置された前記原稿（７）が前記パラメータにより撮像されるように前記画像読取部（１１）を制御するステップと、前記静止画像データ（１０６）に映された前記原稿識別子と、前記ＩＤタグ（４３）から読み出された前記原稿識別子（１４１）との比較結果（１４２）を前記情報処理装置（３０）に出力するステップとを含んでいる。
【００４４】
本発明の画像読取用プログラムによれば、原稿（７）（帳票）を撮像するために予め指定されたパラメータをＩＤタグ（４３）に記録しておくことにより、上記の効果｛オペレータが原稿（７）（帳票）を確実に処理することができること｝に加えて、原稿（７）（帳票）に合わせた画像の読み取りを行うことができる。また、本発明の画像読取用プログラムによれば、原稿（７）（帳票）に記載された原稿識別子をＩＤタグ（４３）に原稿識別子（１４１）として記録しておくことにより、上記の効果に加えて、偽造された原稿（帳票）を検知することができる。
【発明の効果】
【００４５】
本発明の画像読取装置は、原稿を確実に処理することができる。
本発明の画像読取装置は、原稿に合わせた画像の読み取りを行うことができる。
本発明の画像読取装置は、偽造された原稿を検知することができる。
【発明を実施するための最良の形態】
【００４６】
以下に添付図面を参照して、本発明の画像読取装置について詳細に説明する。
【００４７】
（第１実施形態）
図１は、本発明の第１実施形態によるスタンド型画像読取装置（以下、画像読取装置）を示す斜視図である。第１実施形態による画像読取装置は、画像読取装置本体部１、画像読取制御装置２０、情報処理装置３０を具備している。画像読取制御装置２０は、画像読取装置本体部１と情報処理装置３０とに接続されている。
【００４８】
画像読取装置本体部１は、足部２とスタンド部３とヘッド部４とから形成されている。ヘッド部４は、被写体を撮像する画像読取部１１を備えている。足部２は、スタンド部３の一端に同体に接合され、スタンド部３の他端は、ヘッド部４に同体に接合されている。すなわち、足部２は、机の上に例示される作業面に置かれたときに、スタンド部３が自立するようにスタンド部３を支持している。スタンド部３は、ヘッド部４をその作業面から離れた位置に支持し、原稿台６の上方に画像読取部１１を一定の高さに保っている。
【００４９】
足部２は、縦長足５−１と横長足５−２とから形成されている。縦長足５−１と横長足５−２とは、それぞれ棒状を形成している。縦長足５−１の一端は、横長足５−２の一端に接合され、縦長足５−１が伸びる方向は、横長足５−２が伸びる方向に直交している。すなわち、縦長足５−１と横長足５−２とは、Ｌ字型を形成している。
【００５０】
画像読取装置本体部１は、原稿台６を更に備えている。
原稿台６は、足部２に同体に接合され、原稿７が載置される領域を形成している。縦長足５−１と横長足５−２とは、更に、原稿７が原稿台６の所定位置９に載置されるように配置されることにより、その原稿７の静止画像が適切に撮像されるように設計されている。原稿７が所定位置９に載置された場合、その原稿７の１辺である辺８−１が縦長足５−１に接し、その原稿７の他辺である辺８−２が横長足５−２に接するように配置される。この場合、原稿７の両面のうちの片面が画像読取部１１に向けられる。
【００５１】
画像読取装置本体部１は、光センサ部１０を更に備えている。
光センサ部１０は、原稿７の辺８−１が縦長足５−１に接し、その原稿７の辺８−２が横長足５−２に接するように配置されるときに、例えば原稿７の中央部分に配置されるように、原稿台６の所定位置９に設けられている。
【００５２】
図２は、本発明の第１実施形態による画像読取装置の画像読取部１１を示す分解斜視図である。その画像読取器１１は、レンズ１２とエリアイメージセンサ１３とを備えている。レンズ１２は、原稿７から発する光を用いて、エリアイメージセンサ１３の表面に原稿７の画像を結像する。エリアイメージセンサ１３は、結像された画像からその画像を示す電気信号を生成する。
【００５３】
図３は、本発明の第１実施形態による画像読取装置の構成を示すブロック図である。
光センサ部１０は、照射される光を検出することにより、原稿台６の所定位置９に原稿７が載置されたか否かを検出する。所定位置９に原稿７が載置されていない場合、光センサ部１０に光が照射される。このとき、光センサ部１０は、所定位置９に原稿７が載置されていないことを検出する。所定位置９に原稿７が載置されている場合、光センサ部１０に光が照射されない。このとき、光センサ部１０は、所定位置９に原稿７が載置されていることを検出し、電気信号として原稿載置検出信号１１０を画像読取制御装置２０に出力する。
【００５４】
画像読取制御装置２０は、動画像出力制御部２１、静止画像出力制御部２２、読取切替部２３を備えている。
読取切替部２３は、光センサ部１０から原稿載置検出信号１１０を受け取っていないとき、第１検出信号１０１を動画像出力制御部２１に出力する。読取切替部２３は、光センサ部１０から原稿載置検出信号１１０を受け取ったとき、第２検出信号１０２を静止画像出力制御部２２に出力する。
動画像出力制御部２１は、第１検出信号１０１に応じて、原稿台６に載置される原稿７が被写体として撮像されるように、動画像制御信号１０３を出力して画像読取部１１を制御し、動画像データ１０５を、読取切替部２３を介して情報処理装置３０に出力する。このとき、動画像出力制御部２１は、動画像制御信号１０３を画像読取部１１に毎秒Ｘ回（Ｘは整数）出力する。動画像データ１０５は、画像読取部１１により読み取られ（撮像され）、且つ、原稿台６に載置される原稿７を表している。
静止画像出力制御部２２は、第２検出信号１０２に応じて、原稿台６の所定位置９に載置された原稿７が被写体として撮像されるように、静止画像制御信号１０４を出力して画像読取部１１を制御し、静止画像データ１０６を、読取切替部２３を介して情報処理装置３０に出力する。静止画像データ１０６は、画像読取部１１により読み取られ（撮像され）、且つ、所定位置９に載置された原稿７を表している。
【００５５】
情報処理装置３０は、コンピュータ３１、表示装置３３を備えている。コンピュータ３１は、表示装置３３に接続され、コンピュータプログラムである制御部３２を備えている。制御部３２は、画像読取制御装置２０から出力された画像データ（動画像データ１０５、静止画像データ１０６）を表示装置３３に表示する。コンピュータ３１は、更に、記憶装置３４を備え、制御部３２は、画像読取制御装置２０から出力された画像データ（動画像データ１０５、静止画像データ１０６）を記憶装置３４に時系列で記録する。
【００５６】
例えば、本発明の第１実施形態による画像読取装置は、金融機関（例示；銀行）で使用され、画像読取装置本体部１は、金融機関の窓口に設けられる。金融機関のオペレータが窓口業務、窓口業務以外の業務の時間帯でも情報処理装置３０を使用できるように、情報処理装置３０には常に電源が供給されている。オペレータが窓口業務の時間帯で画像読取装置本体部１を使用するために、画像読取装置本体部１、画像読取制御装置２０には、窓口業務の時間帯において電源が供給されている。また、上記の原稿７を帳票とし、原稿７（帳票）には、原稿識別子が記載されていて、客の氏名、預金や出金に伴う金銭が記載される。原稿識別子としては、帳票に記載された特定の番号、特定の文字、その番号・文字の形状が例示される。
【００５７】
図４は、本発明の第１実施形態による画像読取装置の動作として画像読取方法を示すフローチャートである。オペレータが窓口業務を行なうとき、画像読取装置本体部１の光センサ部１０には電源が供給され（ステップＳ１１）、光センサ部１０は、照射される光を検出することにより、原稿台６の所定位置９に原稿７（帳票）が載置されたか否かを検出する（ステップＳ１２；載置検出処理）。また、画像読取制御装置２０には電源が供給され（ステップＳ１５）、画像読取制御装置２０の読取切替部２３は、光センサ部１０から出力される信号を監視する（ステップＳ１６；第１読取切替処理）。
【００５８】
客は、原稿７（帳票）を持参して窓口に訪れ、オペレータは、客に対して、原稿７（帳票）による預金や出金についての応対を行なう。同時に、オペレータは、客に対して預金や出金に伴う金銭の授受を原稿台６上で行ない、金銭の授受を証明するために印鑑の押印を原稿台６上で原稿７（帳票）に行なう。このとき、載置検出処理（ステップＳ１２）において、光センサ部１０に光が照射されているため、光センサ部１０は、所定位置９に原稿７（帳票）が載置されていないことを検出する（ステップＳ１２−ＮＯ）。また、第１読取切替処理（ステップＳ１６）において、読取切替部２３は、光センサ部１０から信号（原稿載置検出信号１１０）を受け取っていないため、第１検出信号１０１を動画像出力制御部２１に出力する（ステップＳ１６−ＮＯ）。このとき、動画像出力制御部２１は、第１動画像出力制御処理（ステップＳ１７）を行なう。
【００５９】
第１動画像出力制御処理（ステップＳ１７）において、動画像出力制御部２１は、第１検出信号１０１に応じて、動画像制御信号１０３を画像読取部１１に毎秒Ｘ回出力する。画像読取部１１は、動画像制御信号１０３に応じて、原稿台６に載置される原稿７（帳票）として、オペレータと客とのやりとり（預金や出金に伴う金銭の授受、印鑑の押印）を被写体として撮像し、動画像データ１０５を動画像出力制御部２１に出力する（ステップＳ２０；画像読取処理）。動画像出力制御部２１は、その動画像データ１０５を、読取切替部２３を介して情報処理装置３０に出力する。このとき、情報処理装置３０の制御部３２は、画像読取制御装置２０から出力された動画像データ１０５を表示装置３３に表示し、その動画像データ１０５を記憶装置３４に時系列で記録する。画像読取制御装置２０は、第１動画像出力制御処理（ステップＳ１７）を行なった後でも電源が供給されている場合（ステップＳ１９−ＹＥＳ）、第１読取切替処理（ステップＳ１６）を行なう。
【００６０】
オペレータは、客とのやりとりの後、原稿７（帳票）に記載された原稿識別子、客の氏名、預金や出金に伴う金銭を記憶装置３４に記録するために、原稿７（帳票）を原稿台６の所定位置９に載置する。このとき、載置検出処理（ステップＳ１２）において、光センサ部１０に光が照射されないため、光センサ部１０は、所定位置９に原稿７（帳票）が載置されていることを検出し、原稿載置検出信号１１０を画像読取制御装置２０に出力する（ステップＳ１２−ＹＥＳ）。また、第１読取切替処理（ステップＳ１６）において、読取切替部２３は、光センサ部１０から信号（原稿載置検出信号１１０）を受け取り、第２検出信号１０２を静止画像出力制御部２２に出力する（ステップＳ１６−ＹＥＳ）。このとき、静止画像出力制御部２２は、第１静止画像出力制御処理（ステップＳ１８）を行なう。
【００６１】
第１静止画像出力制御処理（ステップＳ１８）において、静止画像出力制御部２２は、第２検出信号１０２に応じて、静止画像制御信号１０４を画像読取部１１に出力する。画像読取部１１は、静止画像制御信号１０４に応じて、原稿台６の所定位置９に載置された原稿７（帳票）として、原稿７（帳票）に記載された内容を表す原稿内容（原稿識別子、客の氏名、金銭、押印）を撮像し、静止画像データ１０６を静止画像出力制御部２２に出力する（ステップＳ２０；画像読取処理）。静止画像出力制御部２２は、その静止画像データ１０６を、読取切替部２３を介して情報処理装置３０に出力する。このとき、情報処理装置３０の制御部３２は、画像読取制御装置２０から出力された静止画像データ１０６を表示装置３３に表示し、その静止画像データ１０６を記憶装置３４に時系列で記録する。画像読取制御装置２０は、第１静止画像出力制御処理（ステップＳ１８）を行なった後でも電源が供給されている場合（ステップＳ１９−ＹＥＳ）、第１読取切替処理（ステップＳ１６）を行なう。
【００６２】
以上の説明により、本発明の第１実施形態による画像読取装置によれば、原稿台６の所定位置９に原稿７（帳票）が載置されるまで、動画像出力制御部２１は、オペレータと客とのやりとり（預金や出金に伴う金銭の授受、印鑑の押印）を動画像データ１０５として情報処理装置３０に出力し、所定位置９に原稿７（帳票）が載置されたとき、静止画像出力制御部２２は、原稿内容（原稿識別子、客の氏名、金銭、押印）を静止画像データ１０６として情報処理装置３０に出力する。画像データ（動画像データ１０５、静止画像データ１０６）が情報処理装置３０の表示装置３３に表示された場合、オペレータを管理する管理者は、原稿７（帳票）に記載された金銭に対して受け渡しの金銭に誤りがあるか、オペレータが原稿７（帳票）、金銭の渡し忘れをしていないか、オペレータが金銭の受け取り確認をしているかを、動画像データ１０５と静止画像データ１０６とによって確認することができる。画像データ（動画像データ１０５、静止画像データ１０６）が情報処理装置３０の記憶装置３４に記録された場合でも、管理者は、オペレータによる原稿７（帳票）、金銭の誤りがあるか、オペレータが原稿７（帳票）、金銭の渡し忘れをしていないか、オペレータが金銭の受け取り確認をしているかを、動画像データ１０５と静止画像データ１０６とによって後から確認することができる。これにより、本発明の第１実施形態による画像読取装置によれば、オペレータが原稿７（帳票）を確実に処理することができる。
【００６３】
本発明の第１実施形態による画像読取装置では、画像読取制御装置２０がコンピュータであり、画像読取制御装置２０のハードウェア構成（回路構成）をコンピュータプログラムにより実現することもできる。この場合、画像読取制御装置２０は、図示しないＣＰＵ（Ｃｅｎｔｒａｌ  Ｐｒｏｃｅｓｓｉｎｇ  Ｕｎｉｔ）と、図示しない記憶装置とを備え、その記憶装置には、そのＣＰＵが読み取り可能なコンピュータプログラム（画像読取用プログラム）である動画像出力制御部２１、静止画像出力制御部２２、読取切替部２３が格納されている。
【００６４】
（第２実施形態）
第１実施形態では、原稿台６の所定位置９に原稿７が載置されたか否かを検出する検出部として、センサ部１０を用いていたが、第２実施形態では、上記検出部として、所定距離においてＲＦ−ＩＤ（Ｒａｄｉｏ  Ｆｒｅｑｕｅｎｃｙ−Ｉｄｅｎｔｉｆｉｃａｔｉｏｎ）タグと通信するＲＦ−ＩＤリーダーを用いた場合でも、第１実施形態と同じ効果を実現する。第２実施形態では、第１実施形態と同じ説明を省略する。
【００６５】
図５は、本発明の第２実施形態によるスタンド型画像読取装置（以下、画像読取装置）を示す斜視図である。第２実施形態による画像読取装置は、情報処理装置３０、画像読取装置本体部４１、画像読取制御装置５０を具備している。画像読取制御装置５０は、画像読取装置本体部４１と情報処理装置３０とに接続されている。
【００６６】
画像読取装置本体部４１は、足部２、スタンド部３、ヘッド部４、画像読取部１１、原稿台６、ＲＦ−ＩＤリーダー４２を備えている。ＲＦ−ＩＤリーダー４２は、原稿７の辺８−１が縦長足５−１に接し、その原稿７の辺８−２が横長足５−２に接するように配置されるときに、例えば原稿７の中央部分に配置されるように、原稿台６の所定位置９に設けられている。
【００６７】
図６は、本発明の第２実施形態による画像読取装置の構成を示すブロック図である。
ＲＦ−ＩＤリーダー４２は、所定距離においてＲＦ−ＩＤタグ４３と通信することができる。即ち、ＲＦ−ＩＤリーダー４２は、電波によって読出信号をＲＦ−ＩＤタグ４３に送信する。読出信号を受信可能な所定距離にＲＦ−ＩＤタグ４３が存在する場合、ＲＦ−ＩＤタグ４３は、読出信号（電波）に応じて、電波によって返答信号（タグ識別子）を送信する。このＲＦ−ＩＤタグ４３は、原稿７に貼付されている。具体的には、ＲＦ−ＩＤリーダー４２とＲＦ−ＩＤタグ４３とが通信可能になるように、ＲＦ−ＩＤタグ４３は、原稿７の両面のうち、画像読取部１１に向けられる面とは異なる面の中央部分に貼付されている。
【００６８】
ＲＦ−ＩＤリーダー４２は、ＲＦ−ＩＤタグ４３と通信することにより、原稿台６の所定位置９に原稿７が載置されたか否かを検出する。所定位置９に原稿７が載置されていない場合、ＲＦ−ＩＤリーダー４２とＲＦ−ＩＤタグ４３との距離が所定距離より長い。このとき、ＲＦ−ＩＤリーダー４２は、ＲＦ−ＩＤタグ４３を検出できないので、所定位置９に原稿７が載置されていないことを検出する。所定位置９に原稿７が載置されている場合、ＲＦ−ＩＤリーダー４２とＲＦ−ＩＤタグ４３との距離が所定距離以下である。このとき、ＲＦ−ＩＤリーダー４２は、ＲＦ−ＩＤタグ４３を検出できるので、所定位置９に原稿７が載置されていることを検出し、電気信号として原稿載置検出信号１２０を画像読取制御装置５０に出力する。
【００６９】
画像読取制御装置５０は、動画像出力制御部２１、静止画像出力制御部２２、読取切替部５３を備えている。
読取切替部５３は、ＲＦ−ＩＤリーダー４２から原稿載置検出信号１２０を受け取っていないとき、第１検出信号１０１を動画像出力制御部２１に出力する。読取切替部５３は、ＲＦ−ＩＤリーダー４２から原稿載置検出信号１２０を受け取ったとき、第２検出信号１０２を静止画像出力制御部２２に出力する。
【００７０】
例えば、本発明の第２実施形態による画像読取装置は、金融機関（例示；銀行）で使用され、画像読取装置本体部４１は、金融機関の窓口に設けられる。金融機関のオペレータが窓口業務、窓口業務以外の業務の時間帯でも情報処理装置３０を使用できるように、情報処理装置３０には常に電源が供給されている。オペレータが窓口業務の時間帯で画像読取装置本体部４１を使用するために、画像読取装置本体部４１、画像読取制御装置５０には、窓口業務の時間帯において電源が供給されている。また、上記の原稿７を帳票とし、原稿７（帳票）には、原稿識別子（特定の番号、特定の文字、その番号・文字の形状）が記載されていて、客の氏名、預金や出金に伴う金銭が記載される。
【００７１】
図７は、本発明の第２実施形態による画像読取装置の動作として画像読取方法を示すフローチャートである。オペレータが窓口業務を行なうとき、画像読取装置本体部４１のＲＦ−ＩＤリーダー４２には電源が供給され（ステップＳ２１）、ＲＦ−ＩＤリーダー４２は、ＲＦ−ＩＤタグ４３と通信することにより、原稿台６の所定位置９に原稿７（帳票）が載置されたか否かを検出する（ステップＳ２２；載置検出処理）。また、画像読取制御装置５０には電源が供給され（ステップＳ２５）、画像読取制御装置５０の読取切替部５３は、ＲＦ−ＩＤリーダー４２から出力される信号を監視する（ステップＳ２６；第２読取切替処理）。
【００７２】
客は、原稿７（帳票）を持参して窓口に訪れ、オペレータは、客に対して、原稿７（帳票）による預金や出金についての応対を行なう。同時に、オペレータは、客に対して預金や出金に伴う金銭の授受を原稿台６上で行ない、金銭の授受を証明するために印鑑の押印を原稿台６上で原稿７（帳票）に行なう。このとき、載置検出処理（ステップＳ２２）において、所定位置９に原稿７（帳票）が載置されていないため、ＲＦ−ＩＤリーダー４２とＲＦ−ＩＤタグ４３との距離が所定距離より長く、ＲＦ−ＩＤリーダー４２は、ＲＦ−ＩＤタグ４３と通信できない（ステップＳ２２−ＮＯ）。また、第２読取切替処理（ステップＳ２６）において、読取切替部５３は、ＲＦ−ＩＤリーダー４２から信号（原稿載置検出信号１２０）を受け取っていないため、第１検出信号１０１を動画像出力制御部２１に出力する（ステップＳ２６−ＮＯ）。このとき、動画像出力制御部２１は、第２動画像出力制御処理（ステップＳ２７）を行なう。
【００７３】
第２動画像出力制御処理（ステップＳ２７）において、動画像出力制御部２１は、第１検出信号１０１に応じて、動画像制御信号１０３を画像読取部１１に毎秒Ｘ回出力する。画像読取部１１は、動画像制御信号１０３に応じて、原稿台６に載置される原稿７（帳票）として、オペレータと客とのやりとり（預金や出金に伴う金銭の授受、印鑑の押印）を被写体として撮像し、動画像データ１０５を動画像出力制御部２１に出力する（ステップＳ３０；画像読取処理）。動画像出力制御部２１は、その動画像データ１０５を、読取切替部５３を介して情報処理装置３０に出力する。このとき、情報処理装置３０の制御部３２は、画像読取制御装置５０から出力された動画像データ１０５を表示装置３３に表示し、その動画像データ１０５を記憶装置３４に時系列で記録する。画像読取制御装置５０は、第２動画像出力制御処理（ステップＳ２７）を行なった後でも電源が供給されている場合（ステップＳ２９−ＹＥＳ）、第２読取切替処理（ステップＳ２６）を行なう。
【００７４】
オペレータは、客とのやりとりの後、原稿７（帳票）に記載された原稿識別子、客の氏名、預金や出金に伴う金銭を記憶装置３４に記録するために、原稿７（帳票）を原稿台６の所定位置９に載置する。このとき、載置検出処理（ステップＳ２２）において、所定位置９に原稿７（帳票）が載置されているため、ＲＦ−ＩＤリーダー４２とＲＦ−ＩＤタグ４３との距離が所定距離以下であり、ＲＦ−ＩＤリーダー４２は、ＲＦ−ＩＤタグ４３と通信し、原稿載置検出信号１２０を画像読取制御装置５０に出力する（ステップＳ２２−ＹＥＳ）。また、第２読取切替処理（ステップＳ２６）において、読取切替部５３は、ＲＦ−ＩＤリーダー４２から信号（原稿載置検出信号１２０）を受け取り、第２検出信号１０２を静止画像出力制御部２２に出力する（ステップＳ２６−ＹＥＳ）。このとき、静止画像出力制御部２２は、第２静止画像出力制御処理（ステップＳ２８）を行なう。
【００７５】
第２静止画像出力制御処理（ステップＳ２８）において、静止画像出力制御部２２は、第２検出信号１０２に応じて、静止画像制御信号１０４を画像読取部１１に出力する。画像読取部１１は、静止画像制御信号１０４に応じて、原稿台６の所定位置９に載置された原稿７（帳票）として、原稿７（帳票）に記載された内容を表す原稿内容（原稿識別子、客の氏名、金銭、押印）を撮像し、静止画像データ１０６を静止画像出力制御部２２に出力する（ステップＳ３０；画像読取処理）。静止画像出力制御部２２は、その静止画像データ１０６を、読取切替部５３を介して情報処理装置３０に出力する。このとき、情報処理装置３０の制御部３２は、画像読取制御装置５０から出力された静止画像データ１０６を表示装置３３に表示し、その静止画像データ１０６を記憶装置３４に時系列で記録する。画像読取制御装置５０は、第２静止画像出力制御処理（ステップＳ２８）を行なった後でも電源が供給されている場合（ステップＳ２９−ＹＥＳ）、第２読取切替処理（ステップＳ２６）を行なう。
【００７６】
以上の説明により、本発明の第２実施形態による画像読取装置によれば、原稿台６の所定位置９に原稿７（帳票）が載置されるまで、動画像出力制御部２１は、オペレータと客とのやりとり（預金や出金に伴う金銭の授受、印鑑の押印）を動画像データ１０５として情報処理装置３０に出力し、所定位置９に原稿７（帳票）が載置されたとき、静止画像出力制御部２２は、原稿内容（原稿識別子、客の氏名、金銭、押印）を静止画像データ１０６として情報処理装置３０に出力する。画像データ（動画像データ１０５、静止画像データ１０６）が情報処理装置３０の表示装置３３に表示された場合、オペレータを管理する管理者は、原稿７（帳票）に記載された金銭に対して受け渡しの金銭に誤りがあるか、オペレータが原稿７（帳票）、金銭の渡し忘れをしていないか、オペレータが金銭の受け取り確認をしているかを、動画像データ１０５と静止画像データ１０６とによって確認することができる。画像データ（動画像データ１０５、静止画像データ１０６）が情報処理装置３０の記憶装置３４に記録された場合でも、管理者は、オペレータによる原稿７（帳票）、金銭の誤りがあるか、オペレータが原稿７（帳票）、金銭の渡し忘れをしていないか、オペレータが金銭の受け取り確認をしているかを、動画像データ１０５と静止画像データ１０６とによって後から確認することができる。これにより、本発明の第２実施形態による画像読取装置によれば、オペレータが原稿７（帳票）を確実に処理することができる。
【００７７】
本発明の第２実施形態による画像読取装置では、画像読取制御装置５０がコンピュータであり、画像読取制御装置５０のハードウェア構成（回路構成）をコンピュータプログラムにより実現することもできる。この場合、画像読取制御装置５０は、図示しないＣＰＵ（Ｃｅｎｔｒａｌ  Ｐｒｏｃｅｓｓｉｎｇ  Ｕｎｉｔ）と、図示しない記憶装置とを備え、その記憶装置には、そのＣＰＵが読み取り可能なコンピュータプログラム（画像読取用プログラム）である動画像出力制御部２１、静止画像出力制御部２２、読取切替部５３が格納されている。
【００７８】
（第３実施形態）
第３実施形態では、原稿７を撮像するために予め指定されたパラメータをＲＦ−ＩＤタグ４３に記録しておくことにより、第２実施形態の効果に加えて、原稿７に合わせた画像の読み取りを行うことができる。第３実施形態では、第２実施形態と同じ説明を省略する。
【００７９】
図８は、本発明の第３実施形態によるスタンド型画像読取装置（以下、画像読取装置）を示す斜視図である。第３実施形態による画像読取装置は、情報処理装置３０、画像読取装置本体部４１、画像読取制御装置６０を具備している。画像読取制御装置６０は、画像読取装置本体部４１と情報処理装置３０とに接続されている。
【００８０】
図９は、本発明の第３実施形態による画像読取装置の構成を示すブロック図である。
原稿７に貼付されたＲＦ−ＩＤタグ４３には、画像読取情報１３１が記録されている。画像読取情報１３１は、解像度、カラー／モノクロ、読取サイズ、原稿７上での読取領域位置に関するパラメータを含んでいる。例えば、指定されるパラメータとして、解像度に関するパラメータが“２００ｄｐｉ”であり、カラー／モノクロに関するパラメータが“カラー”であり、読取サイズに関するパラメータが“Ａ４”であり、読取領域位置に関するパラメータが“上半分”である場合、画像読取部１１は、画像読取情報１３１により、Ａ４サイズの原稿７の上半分をカラー、２００ｄｐｉで読み取ることができる。この画像読取情報１３１は、ＲＦ−ＩＤリーダー４２により読み取られる。即ち、ＲＦ−ＩＤリーダー４２は、電波によって読出信号をＲＦ−ＩＤタグ４３に送信する。所定位置９に原稿７が載置されている場合、ＲＦ−ＩＤリーダー４２とＲＦ−ＩＤタグ４３との距離が所定距離以下である。この場合、ＲＦ−ＩＤタグ４３は、読出信号（電波）に応じて、電波によって返答信号（タグ識別子、上記の画像読取情報１３１）を送信する。このとき、ＲＦ−ＩＤリーダー４２は、電気信号として原稿載置検出信号１２０、上記の画像読取情報１３１を画像読取制御装置６０に出力する。
【００８１】
画像読取制御装置６０は、動画像出力制御部２１、静止画像出力制御部２２、読取切替部６３、画像読取パラメータ制御部６４を備えている。
読取切替部６３は、ＲＦ−ＩＤリーダー４２から原稿載置検出信号１２０を受け取っていないとき、第１検出信号１０１を動画像出力制御部２１に出力する。読取切替部６３は、ＲＦ−ＩＤリーダー４２から原稿載置検出信号１２０を受け取ったとき、第２検出信号１０２を静止画像出力制御部２２に出力する。
画像読取パラメータ制御部６４は、ＲＦ−ＩＤリーダー４２からの画像読取情報１３１に応じて、原稿台６の所定位置９に載置された原稿７がパラメータ（解像度、カラー／モノクロ、読取サイズ、読取領域位置）により撮像されるように、画像読取制御信号１３２を出力して画像読取部１１を制御する。
【００８２】
例えば、本発明の第３実施形態による画像読取装置は、金融機関（例示；銀行）で使用され、画像読取装置本体部４１は、金融機関の窓口に設けられる。金融機関のオペレータが窓口業務、窓口業務以外の業務の時間帯でも情報処理装置３０を使用できるように、情報処理装置３０には常に電源が供給されている。オペレータが窓口業務の時間帯で画像読取装置本体部４１を使用するために、画像読取装置本体部４１、画像読取制御装置６０には、窓口業務の時間帯において電源が供給されている。また、上記の原稿７を帳票とし、原稿７（帳票）には、原稿識別子（特定の番号、特定の文字、その番号・文字の形状）が記載されていて、客の氏名、預金や出金に伴う金銭が記載される。
【００８３】
図１０は、本発明の第３実施形態による画像読取装置の動作として画像読取方法を示すフローチャートである。オペレータが窓口業務を行なうとき、画像読取装置本体部４１のＲＦ−ＩＤリーダー４２には電源が供給され（ステップＳ３１）、ＲＦ−ＩＤリーダー４２は、ＲＦ−ＩＤタグ４３と通信することにより、原稿台６の所定位置９に原稿７（帳票）が載置されたか否かを検出する（ステップＳ３２；載置検出処理）。また、画像読取制御装置６０には電源が供給され（ステップＳ３５）、画像読取制御装置６０の読取切替部６３は、ＲＦ−ＩＤリーダー４２から出力される信号を監視する（ステップＳ３６；第３読取切替処理）。
【００８４】
客は、原稿７（帳票）を持参して窓口に訪れ、オペレータは、客に対して、原稿７（帳票）による預金や出金についての応対を行なう。同時に、オペレータは、客に対して預金や出金に伴う金銭の授受を原稿台６上で行ない、金銭の授受を証明するために印鑑の押印を原稿台６上で原稿７（帳票）に行なう。このとき、載置検出処理（ステップＳ３２）において、所定位置９に原稿７（帳票）が載置されていないため、ＲＦ−ＩＤリーダー４２とＲＦ−ＩＤタグ４３との距離が所定距離より長く、ＲＦ−ＩＤリーダー４２は、ＲＦ−ＩＤタグ４３と通信できない（ステップＳ３２−ＮＯ）。また、第３読取切替処理（ステップＳ３６）において、読取切替部６３は、ＲＦ−ＩＤリーダー４２から信号（原稿載置検出信号１２０）を受け取っていないため、第１検出信号１０１を動画像出力制御部２１に出力する（ステップＳ３６−ＮＯ）。このとき、動画像出力制御部２１は、第３動画像出力制御処理（ステップＳ３７）を行なう。
【００８５】
第３動画像出力制御処理（ステップＳ３７）において、動画像出力制御部２１は、第１検出信号１０１に応じて、動画像制御信号１０３を画像読取部１１に毎秒Ｘ回出力する。画像読取部１１は、動画像制御信号１０３に応じて、原稿台６に載置される原稿７（帳票）として、オペレータと客とのやりとり（預金や出金に伴う金銭の授受、印鑑の押印）を被写体として撮像し、動画像データ１０５を動画像出力制御部２１に出力する（ステップＳ４０；画像読取処理）。動画像出力制御部２１は、その動画像データ１０５を、読取切替部６３を介して情報処理装置３０に出力する。このとき、情報処理装置３０の制御部３２は、画像読取制御装置６０から出力された動画像データ１０５を表示装置３３に表示し、その動画像データ１０５を記憶装置３４に時系列で記録する。画像読取制御装置６０は、第３動画像出力制御処理（ステップＳ３７）を行なった後でも電源が供給されている場合（ステップＳ３９−ＹＥＳ）、第３読取切替処理（ステップＳ３６）を行なう。
【００８６】
オペレータは、客とのやりとりの後、原稿７（帳票）に記載された原稿識別子、客の氏名、預金や出金に伴う金銭を記憶装置３４に記録するために、原稿７（帳票）を原稿台６の所定位置９に載置する。このとき、載置検出処理（ステップＳ３２）において、所定位置９に原稿７（帳票）が載置されているため、ＲＦ−ＩＤリーダー４２とＲＦ−ＩＤタグ４３との距離が所定距離以下であり、ＲＦ−ＩＤリーダー４２は、ＲＦ−ＩＤタグ４３と通信し、原稿載置検出信号１２０、画像読取情報１３１を画像読取制御装置６０に出力する（ステップＳ３２−ＹＥＳ）。また、第３読取切替処理（ステップＳ３６）において、読取切替部６３は、ＲＦ−ＩＤリーダー４２から信号（原稿載置検出信号１２０）を受け取り、第２検出信号１０２を静止画像出力制御部２２に出力する（ステップＳ３６−ＹＥＳ）。このとき、静止画像出力制御部２２は、第３静止画像出力制御処理（ステップＳ３８）を行なう。
【００８７】
第３静止画像出力制御処理（ステップＳ３８）において、静止画像出力制御部２２は、第２検出信号１０２に応じて、静止画像制御信号１０４を画像読取部１１に出力する。画像読取パラメータ制御部６４は、ＲＦ−ＩＤリーダー４２からの画像読取情報１３１に応じて、パラメータ（解像度、カラー／モノクロ、読取サイズ、読取領域位置）を含む画像読取制御信号１３２を画像読取部１１に出力する。画像読取部１１は、静止画像制御信号１０４と画像読取制御信号１３２とに応じて、原稿台６の所定位置９に載置された原稿７（帳票）として、原稿７（帳票）に記載された内容を表す原稿内容（原稿識別子、客の氏名、金銭、押印）を上記パラメータにより撮像し、静止画像データ１０６を静止画像出力制御部２２に出力する（ステップＳ４０；画像読取処理）。静止画像出力制御部２２は、その静止画像データ１０６を、読取切替部６３を介して情報処理装置３０に出力する。このとき、情報処理装置３０の制御部３２は、画像読取制御装置６０から出力された静止画像データ１０６を表示装置３３に表示し、その静止画像データ１０６を記憶装置３４に時系列で記録する。画像読取制御装置６０は、第３静止画像出力制御処理（ステップＳ３８）を行なった後でも電源が供給されている場合（ステップＳ３９−ＹＥＳ）、第３読取切替処理（ステップＳ３６）を行なう。
【００８８】
以上の説明により、本発明の第３実施形態による画像読取装置によれば、原稿７（帳票）を撮像するために予め指定されたパラメータをＲＦ−ＩＤタグ４３に記録しておくことにより、第２実施形態の効果に加えて、原稿７（帳票）に合わせた画像の読み取りを行うことができる。
【００８９】
本発明の第３実施形態による画像読取装置では、画像読取制御装置６０がコンピュータであり、画像読取制御装置６０のハードウェア構成（回路構成）をコンピュータプログラムにより実現することもできる。この場合、画像読取制御装置６０は、図示しないＣＰＵ（Ｃｅｎｔｒａｌ  Ｐｒｏｃｅｓｓｉｎｇ  Ｕｎｉｔ）と、図示しない記憶装置とを備え、その記憶装置には、そのＣＰＵが読み取り可能なコンピュータプログラム（画像読取用プログラム）である動画像出力制御部２１、静止画像出力制御部２２、読取切替部６３、画像読取パラメータ制御部６４が格納されている。
【００９０】
（第４実施形態）
第４実施形態では、原稿７に記載された原稿識別子（例示；特定の番号、特定の文字、その番号・文字の形状）をＲＦ−ＩＤタグ４３に記録しておくことにより、第３実施形態の効果に加えて、偽造された原稿を検知することができる。第４実施形態では、第３実施形態と同じ説明を省略する。
【００９１】
図１１は、本発明の第４実施形態によるスタンド型画像読取装置（以下、画像読取装置）を示す斜視図である。第４実施形態による画像読取装置は、情報処理装置３０、画像読取装置本体部４１、画像読取制御装置７０を具備している。画像読取制御装置７０は、画像読取装置本体部４１と情報処理装置３０とに接続されている。
【００９２】
図１２は、本発明の第４実施形態による画像読取装置の構成を示すブロック図である。
原稿７に貼付されたＲＦ−ＩＤタグ４３には、画像読取情報１３１と、原稿識別子１４１が記録されている。原稿識別子１４１は、原稿７に記載された原稿識別子（特定の番号、特定の文字、その番号・文字の形状）と同じであり、原稿７に記載された原稿識別子が、ＲＦ−ＩＤタグ４３に記録された原稿識別子１４１と異なる場合、原稿７が偽造されている。画像読取情報１３１と原稿識別子１４１は、ＲＦ−ＩＤリーダー４２により読み取られる。即ち、ＲＦ−ＩＤリーダー４２は、電波によって読出信号をＲＦ−ＩＤタグ４３に送信する。所定位置９に原稿７が載置されている場合、ＲＦ−ＩＤリーダー４２とＲＦ−ＩＤタグ４３との距離が所定距離以下である。この場合、ＲＦ−ＩＤタグ４３は、読出信号（電波）に応じて、電波によって返答信号（タグ識別子、画像読取情報１３１、上記の原稿識別子１４１）を送信する。このとき、ＲＦ−ＩＤリーダー４２は、電気信号として原稿載置検出信号１２０、上記の画像読取情報１３１、上記の原稿識別子１４１を画像読取制御装置７０に出力する。
【００９３】
画像読取制御装置７０は、動画像出力制御部２１、静止画像出力制御部２２、画像読取パラメータ制御部６４、読取切替部７３、原稿真偽判定部７４を備えている。
読取切替部７３は、ＲＦ−ＩＤリーダー４２から原稿載置検出信号１２０を受け取っていないとき、第１検出信号１０１を動画像出力制御部２１に出力する。読取切替部７３は、ＲＦ−ＩＤリーダー４２から原稿載置検出信号１２０を受け取ったとき、第２検出信号１０２を静止画像出力制御部２２に出力する。また、読取切替部７３は、第２検出信号１０２を静止画像出力制御部２２に出力したとき、原稿真偽判定部７４と接続し、静止画像出力制御部２２から出力された静止画像データ１０６を原稿真偽判定部７４に出力する。
原稿真偽判定部７４は、読取切替部７３からの静止画像データ１０６に映された原稿識別子と、ＲＦ−ＩＤリーダー４２からの原稿識別子１４１との比較結果（判定結果）１４２を情報処理装置３０に出力する。情報処理装置３０の制御部３２は、画像読取制御装置７０から出力された動画像データ１０５を表示装置３３に表示し、画像読取制御装置７０から出力された静止画像データ１０６と比較結果１４２とを表示装置３３に表示する。また、情報処理装置３０の制御部３２は、画像読取制御装置７０から出力された動画像データ１０５を記憶装置３４に時系列で記録し、画像読取制御装置７０から出力された静止画像データ１０６と比較結果１４２とを記憶装置３４に時系列で記録する。
【００９４】
例えば、本発明の第４実施形態による画像読取装置は、金融機関（例示；銀行）で使用され、画像読取装置本体部４１は、金融機関の窓口に設けられる。金融機関のオペレータが窓口業務、窓口業務以外の業務の時間帯でも情報処理装置３０を使用できるように、情報処理装置３０には常に電源が供給されている。オペレータが窓口業務の時間帯で画像読取装置本体部４１を使用するために、画像読取装置本体部４１、画像読取制御装置７０には、窓口業務の時間帯において電源が供給されている。また、上記の原稿７を帳票とし、原稿７（帳票）には、上記の原稿識別子が記載されていて、客の氏名、預金や出金に伴う金銭が記載される。
【００９５】
図１３は、本発明の第４実施形態による画像読取装置の動作として画像読取方法を示すフローチャートである。オペレータが窓口業務を行なうとき、画像読取装置本体部４１のＲＦ−ＩＤリーダー４２には電源が供給され（ステップＳ４１）、ＲＦ−ＩＤリーダー４２は、ＲＦ−ＩＤタグ４３と通信することにより、原稿台６の所定位置９に原稿７（帳票）が載置されたか否かを検出する（ステップＳ４２；載置検出処理）。また、画像読取制御装置７０には電源が供給され（ステップＳ４５）、画像読取制御装置７０の読取切替部７３は、ＲＦ−ＩＤリーダー４２から出力される信号を監視する（ステップＳ４６；第４読取切替処理）。
【００９６】
客は、原稿７（帳票）を持参して窓口に訪れ、オペレータは、客に対して、原稿７（帳票）による預金や出金についての応対を行なう。同時に、オペレータは、客に対して預金や出金に伴う金銭の授受を原稿台６上で行ない、金銭の授受を証明するために印鑑の押印を原稿台６上で原稿７（帳票）に行なう。このとき、載置検出処理（ステップＳ４２）において、所定位置９に原稿７（帳票）が載置されていないため、ＲＦ−ＩＤリーダー４２とＲＦ−ＩＤタグ４３との距離が所定距離より長く、ＲＦ−ＩＤリーダー４２は、ＲＦ−ＩＤタグ４３と通信できない（ステップＳ４２−ＮＯ）。また、第４読取切替処理（ステップＳ４６）において、読取切替部７３は、ＲＦ−ＩＤリーダー４２から信号（原稿載置検出信号１２０）を受け取っていないため、第１検出信号１０１を動画像出力制御部２１に出力する（ステップＳ４６−ＮＯ）。このとき、動画像出力制御部２１は、第４動画像出力制御処理（ステップＳ４７）を行なう。
【００９７】
第４動画像出力制御処理（ステップＳ４７）において、動画像出力制御部２１は、第１検出信号１０１に応じて、動画像制御信号１０３を画像読取部１１に毎秒Ｘ回出力する。画像読取部１１は、動画像制御信号１０３に応じて、原稿台６に載置される原稿７（帳票）として、オペレータと客とのやりとり（預金や出金に伴う金銭の授受、印鑑の押印）を被写体として撮像し、動画像データ１０５を動画像出力制御部２１に出力する（ステップＳ５０；画像読取処理）。動画像出力制御部２１は、その動画像データ１０５を、読取切替部７３を介して情報処理装置３０に出力する。このとき、情報処理装置３０の制御部３２は、画像読取制御装置７０から出力された動画像データ１０５を表示装置３３に表示し、その動画像データ１０５を記憶装置３４に時系列で記録する。画像読取制御装置７０は、第４動画像出力制御処理（ステップＳ４７）を行なった後でも電源が供給されている場合（ステップＳ４９−ＹＥＳ）、第４読取切替処理（ステップＳ４６）を行なう。
【００９８】
オペレータは、客とのやりとりの後、原稿７（帳票）に記載された原稿識別子、客の氏名、預金や出金に伴う金銭を記憶装置３４に記録するために、原稿７（帳票）を原稿台６の所定位置９に載置する。このとき、載置検出処理（ステップＳ４２）において、所定位置９に原稿７（帳票）が載置されているため、ＲＦ−ＩＤリーダー４２とＲＦ−ＩＤタグ４３との距離が所定距離以下であり、ＲＦ−ＩＤリーダー４２は、ＲＦ−ＩＤタグ４３と通信し、原稿載置検出信号１２０、画像読取情報１３１、原稿識別子１４１を画像読取制御装置７０に出力する（ステップＳ４２−ＹＥＳ）。また、第４読取切替処理（ステップＳ４６）において、読取切替部７３は、ＲＦ−ＩＤリーダー４２から信号（原稿載置検出信号１２０）を受け取り、第２検出信号１０２を静止画像出力制御部２２に出力する（ステップＳ４６−ＹＥＳ）。このとき、静止画像出力制御部２２は、第４静止画像出力制御処理（ステップＳ４８）を行なう。
【００９９】
第４静止画像出力制御処理（ステップＳ４８）において、静止画像出力制御部２２は、第２検出信号１０２に応じて、静止画像制御信号１０４を画像読取部１１に出力する。画像読取パラメータ制御部６４は、ＲＦ−ＩＤリーダー４２からの画像読取情報１３１に応じて、パラメータ（解像度、カラー／モノクロ、読取サイズ、読取領域位置）を含む画像読取制御信号１３２を画像読取部１１に出力する。画像読取部１１は、静止画像制御信号１０４と画像読取制御信号１３２とに応じて、原稿台６の所定位置９に載置された原稿７（帳票）として、原稿７（帳票）に記載された内容を表す原稿内容（原稿識別子、客の氏名、金銭、押印）を上記パラメータにより撮像し、静止画像データ１０６を静止画像出力制御部２２に出力する（ステップＳ５０；画像読取処理）。静止画像出力制御部２２は、その静止画像データ１０６を、読取切替部７３を介して情報処理装置３０に出力し、読取切替部７３は、静止画像出力制御部２２から出力された静止画像データ１０６を原稿真偽判定部７４に出力する。原稿真偽判定部７４は、読取切替部７３からの静止画像データ１０６に映された原稿識別子と、ＲＦ−ＩＤリーダー４２からの原稿識別子１４１との比較結果１４２を情報処理装置３０に出力する。このとき、情報処理装置３０の制御部３２は、画像読取制御装置７０から出力された静止画像データ１０６と比較結果１４２とを表示装置３３に表示し、その静止画像データ１０６と比較結果１４２とを記憶装置３４に時系列で記録する。画像読取制御装置７０は、第４静止画像出力制御処理（ステップＳ４８）を行なった後でも電源が供給されている場合（ステップＳ４９−ＹＥＳ）、第４読取切替処理（ステップＳ４６）を行なう。
【０１００】
以上の説明により、本発明の第４実施形態による画像読取装置によれば、静止画像データ１０６と比較結果１４２とが情報処理装置３０の表示装置３３に表示される。このとき、上記の比較結果１４２が、原稿７（帳票）に記載された原稿識別子と、ＲＦ−ＩＤタグ４３に記録された原稿識別子１４１との一致を表すとき、原稿７（帳票）が偽造されていない。上記の比較結果１４２が、原稿７（帳票）に記載された原稿識別子と、ＲＦ−ＩＤタグ４３に記録された原稿識別子１４１との一致を表さないとき、原稿７（帳票）が偽造されている。原稿７（帳票）が偽造されている場合、オペレータを管理する管理者は、大惨事になる前に、オペレータと客とのやりとりを中止させることができる。また、静止画像データ１０６と比較結果１４２とが情報処理装置３０の記憶装置３４に記録された場合でも、原稿７（帳票）が偽造されていることを証明することができる。このように、本発明の第４実施形態による画像読取装置によれば、原稿７（帳票）に記載された原稿識別子をＲＦ−ＩＤタグ４３に原稿識別子１４１として記録しておくことにより、第３実施形態の効果に加えて、偽造された原稿（帳票）を検知することができる。
【０１０１】
本発明の第４実施形態による画像読取装置では、画像読取制御装置７０がコンピュータであり、画像読取制御装置７０のハードウェア構成（回路構成）をコンピュータプログラムにより実現することもできる。この場合、画像読取制御装置７０は、図示しないＣＰＵ（Ｃｅｎｔｒａｌ  Ｐｒｏｃｅｓｓｉｎｇ  Ｕｎｉｔ）と、図示しない記憶装置とを備え、その記憶装置には、そのＣＰＵが読み取り可能なコンピュータプログラム（画像読取用プログラム）である動画像出力制御部２１、静止画像出力制御部２２、画像読取パラメータ制御部６４、読取切替部７３、原稿真偽判定部７４が格納されている。
【図面の簡単な説明】
【０１０２】
【図１】図１は、本発明の第１実施形態によるスタンド型画像読取装置を示す斜視図である。
【図２】図２は、本発明の第１実施形態によるスタンド型画像読取装置の画像読取部１１を示す分解斜視図である。
【図３】図３は、本発明の第１実施形態によるスタンド型画像読取装置の構成を示すブロック図である。
【図４】図４は、本発明の第１実施形態によるスタンド型画像読取装置の動作として画像読取方法を示すフローチャートである。
【図５】図５は、本発明の第２実施形態によるスタンド型画像読取装置を示す斜視図である。
【図６】図６は、本発明の第２実施形態によるスタンド型画像読取装置の構成を示すブロック図である。
【図７】図７は、本発明の第２実施形態によるスタンド型画像読取装置の動作として画像読取方法を示すフローチャートである。
【図８】図８は、本発明の第３実施形態によるスタンド型画像読取装置を示す斜視図である。
【図９】図９は、本発明の第３実施形態によるスタンド型画像読取装置の構成を示すブロック図である。
【図１０】図１０は、本発明の第３実施形態によるスタンド型画像読取装置の動作として画像読取方法を示すフローチャートである。
【図１１】図１１は、本発明の第４実施形態によるスタンド型画像読取装置を示す斜視図である。
【図１２】図１２は、本発明の第４実施形態によるスタンド型画像読取装置の構成を示すブロック図である。
【図１３】図１３は、本発明の第４実施形態によるスタンド型画像読取装置の動作として画像読取方法を示すフローチャートである。
【符号の説明】
【０１０３】
１    画像読取装置本体部
２    足部
３    スタンド部
４    ヘッド部
５−１    縦長足
５−２    横長足
６    原稿台
７    原稿
８−１、８−２    辺
９    所定位置
１０    光センサ部
１１    画像読取部
１２    レンズ
１３    エリアイメージセンサ
２０    画像読取制御装置
２１    動画像出力制御部
２２    静止画像出力制御部
２３    読取切替部
３０    情報処理装置
３１    コンピュータ
３２    制御部
３３    表示装置
１０１    第１検出信号
１０２    第２検出信号
１０３    動画像制御信号
１０４    静止画像制御信号
１０５    動画像データ
１０６    静止画像データ
１１０    原稿載置検出信号
４１    画像読取装置本体部
４２    ＲＦ−ＩＤリーダー
４３    ＲＦ−ＩＤタグ
５０    画像読取制御装置
５３    読取切替部
１２０    原稿載置検出信号
６０    画像読取制御装置
６３    読取切替部
６４    画像読取パラメータ制御部
１３１    画像読取情報
１３２    画像読取制御信号
７０    画像読取制御装置
７３    読取切替部
７５    原稿真偽判定部
１４１    原稿識別子
１４２    比較結果（判定結果）
【図１】
2006033234.tif 000003
【図２】
2006033234.tif 000004
【図３】
2006033234.tif 000005
【図４】
2006033234.tif 000006
【図５】
2006033234.tif 000007
【図６】
2006033234.tif 000008
【図７】
2006033234.tif 000009
【図８】
2006033234.tif 000010
【図９】
2006033234.tif 000011
【図１０】
2006033234.tif 000012
【図１１】
2006033234.tif 000013
【図１２】
2006033234.tif 000014
【図１３】
2006033234.tif 000015